(57)【特許請求の範囲】
【請求項１】
映像表示装置の焼き付き防止方法において、
入力される水平同期信号及び垂直同期信号のカウント値に基づいて、前記映像表示装置における色反転エリアの領域を定義するとともに、入力された映像信号を受け、前記定義した色反転エリアの領域を色反転処理し、その色反転処理された映像信号と、前記入力された映像信号を混合させ前記映像表示装置に表示させ、前記水平同期信号のカウント値は、前記映像表示装置における色反転エリアのライン数のカウントに用いるとともに、前記垂直同期信号のカウント値は、前記映像表示装置における色反転エリアの開始位置ラインをシフトさせるタイミングに用いることを特徴とする映像表示装置の焼き付き防止方法。
【請求項２】
前記色反転処理された映像信号に対し、ＲＧＢそれぞれの要素色の劣化特性に合わせた利得を掛け合わせる処理を行った後、前記入力された映像信号と混合させ前記映像表示装置に表示させることを特徴とする請求項１記載の映像表示装置の焼き付き防止方法。
【請求項３】
映像表示装置の焼き付き防止方法において、
入力される水平同期信号を第１のカウンター手段によりカウントするステップと、
入力される垂直同期信号を第２のカウンター手段によりカウントするステップと、
前記第１のカウンター手段でカウントされた水平同期信号のカウント値と、前記第２のカウンター手段でカウントされた垂直同期信号のカウント値に基づいて、前記映像表示装置における色反転エリアの領域を定義する色反転領域定義ステップと、
入力された映像信号の利得を調整する利得調整ステップと、
前記利得調整ステップにより利得を調整された映像信号を受け、当該映像信号において、前記色反転領域定義手段により定義された色反転エリアの領域を色反転処理する色反転処理ステップと、
前記色反転処理ステップにより色反転処理された映像信号を受け、ＲＧＢそれぞれの要素色の劣化特性に合わせた利得を掛け合わせる処理を行う劣化補償ステップと、
前記劣化補償ステップによって処理された映像信号と、前記入力された映像信号を混合させる映像信号混合ステップと、
を含み、
前記色反転領域定義ステップは、前記第１のカウンター手段でカウントされた水平同期信号のカウント値を前記映像表示装置における色反転エリアのライン数のカウントに用いるとともに、前記第２のカウンター手段でカウントされた垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止方法。
【請求項４】
映像表示装置の焼き付き防止回路において、
入力される水平同期信号及び垂直同期信号のカウント値に基づいて、前記映像表示装置における色反転エリアの領域を定義する色反転領域定義手段と、
入力された映像信号を受け、当該映像信号において、前記色反転領域定義手段により定義された色反転エリアの領域を色反転処理する色反転処理手段と、
前記色反転処理手段により色反転処理された映像信号と、前記入力された映像信号を混合させる映像信号混合手段と、
を備え、前記反転領域定義手段は、前記水平同期信号のカウント値を前記映像表示装置における色反転エリアのライン数のカウントに用いるとともに、前記垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止回路。
【請求項５】
映像表示装置の焼き付き防止回路において、
入力される水平同期信号及び垂直同期信号のカウント値に基づいて、前記映像表示装置における色反転エリアの領域を定義する色反転領域定義手段と、
入力された映像信号を受け、当該映像信号において、前記色反転領域定義手段により定義された色反転エリアの領域を色反転処理する色反転処理手段と、
前記色反転処理手段により色反転処理された映像信号を受け、ＲＧＢそれぞれの要素色の劣化特性に合わせた利得を掛け合わせる処理を行う劣化補償手段と、
前記劣化補償手段によって処理された映像信号と、前記入力された映像信号を混合させる映像信号混合手段と、
を備え、前記反転領域定義手段は、前記水平同期信号のカウント値を前記映像表示装置における色反転エリアのライン数のカウントに用いるとともに、前記垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止回路。
【請求項６】
映像表示装置の焼き付き防止回路において、
入力される水平同期信号をカウントする第１のカウンター手段と、
入力される垂直同期信号をカウントする第２のカウンター手段と、
前記第１のカウンター手段でカウントされた水平同期信号のカウント値と、前記第２のカウンター手段でカウントされた垂直同期信号のカウント値に基づいて、前記映像表示装置における色反転エリアの領域を定義する色反転領域定義手段と、
入力された映像信号の利得を調整する利得調整手段と、
前記利得調整手段により利得を調整された映像信号を受け、当該映像信号において、前記色反転領域定義手段により定義された色反転エリアの領域を色反転処理する色反転処理手段と、
前記色反転処理手段により色反転処理された映像信号を受け、ＲＧＢそれぞれの要素色の劣化特性に合わせた利得を掛け合わせる処理を行う劣化補償手段と、
前記劣化補償手段によって処理された映像信号と、前記入力された映像信号を混合させる映像信号混合手段と、
を備え、前記色反転領域定義手段は、前記第１のカウンター手段でカウントされた水平同期信号のカウント値を前記映像表示装置における色反転エリアのライン数のカウントに用いるとともに、前記第２のカウンター手段でカウントされた垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止回路。
【発明の詳細な説明】
【技術分野】
【０００１】
本発明は、ディスプレイ機器等の画面保護や長寿命化を目的とする映像表示装置の焼き付き防止方法及びその防止回路に関するものである。
【背景技術】
【０００２】
従来から、表示画面において、長時間に渡り同一の画面を表示し続けることによって生じる障害を予防する手段として、例えば、図３に示すように、作業画面（ａ）の全画面を黒表示（ｂ）に変更し、その上で、何らかのマークを動かしたりするスクリーンセーバー（ｃ）といった技術が用いられてきている。しかし、このような技術であると、それまでの表示映像を全く確認することができないため、ユーザーに受け入れられないことがある。
【０００３】
そこで、例えば、特許文献１には、表示装置の画面の同一場所に同一画像を長時間表示し続けると発生する画面の焼き付けを防止するための画面焼き付け防止方法において、現在動作中の画像を画面の表示面積以下の画像に処理して画面内を移動させるようにしたことを特徴とする表示装置の画面焼き付け防止方法や、表示装置の画面の同一場所に同一画像を長時間表示し続けると発生する画面の焼き付けを防止するための画面焼き付け防止装置において、現在動作中の画像を処理して、画面の表示面積以下の画像にする手段と、その画像を画面内で移動させる手段とを備えたことを特徴とする表示装置の画面焼き付け防止装置が開示されている。
【０００４】
この技術によれば、画面の焼き付けを防止することができるのはもちろんのこと、使用者が画面を見ると、それまで動作していた画像が縮小されたもの、或いは、それまで動作していた画像の一部が画面内に表示されているので、それまで行っていた動作状態を確認することが可能になるとされている。
【０００５】
また、特許文献２には、液晶表示パネルと、前記液晶表示パネルの表示画面を構成する複数の画素のうち、均等に分散する位置にある予め定める割合の画素を、予め定める時間が経過するごとに、前記均等に分散する位置を予め定める順序で変化させて選択する選択手段と、前記表示画面に表示する画像のうち、前記選択手段によって選択される画素に表示する画像の色を黒色にして表示する表示制御手段とを含むことを特徴とする液晶表示装置が開示されている。
【０００６】
そして、この技術によれば、表示画面を構成する画素のうち均等に分散した画素のみを順次移動して黒表示とするので、画面全体の表示内容を常時判断することができる状態で残像現象を防止することができるとされている。
【先行技術文献】
【特許文献】
【０００７】
【特許文献１】特開平８−２８６６４７号公報
【特許文献２】特開２００９−１３４１８８号公報
【発明の概要】
【発明が解決しようとする課題】
【０００８】
しかしながら、上記特許文献１に開示されている技術は、画面の焼き付けを防止することができるとともに、それまで行っていた動作状態を確認することが可能ではあるが、表示内容が小さく確認しにくいという問題がある。また、特許文献２に開示されている技術は、残像現象を防止するとともに、画面全体の表示内容を常時判断することができるとはされているが、所定画素が黒表示となるため、正確に表示内容を確認することは難しいと言える。
【０００９】
本発明は、上述の課題を解決するためのもので、映像表示装置の焼き付き防止するとともに、表示内容を的確に確認することができる映像表示装置の焼き付き防止方法及び映像表示装置の焼き付き防止回路を提供することにある。
【課題を解決するための手段】
【００１０】
上述の課題に対応するため、本発明は、以下の技術的手段を講じている。
即ち、請求項１記載の発明は、映像表示装置の焼き付き防止方法において、入力される水平同期信号及び垂直同期信号のカウント値に基づいて、前記映像表示装置における色反転エリアの領域を定義し、入力された映像信号を受け、前記定義した色反転エリアの領域を色反転処理するとともに、その色反転処理された映像信号と、前記入力された映像信号を混合させ前記映像表示装置に表示させ、前記水平同期信号のカウント値は、前記映像表示装置における色反転エリアのライン数のカウントに用いるとともに、前記垂直同期信号のカウント値は、前記映像表示装置における色反転エリアの開始位置ラインをシフトさせるタイミングに用いることを特徴とする映像表示装置の焼き付き防止方法である。
【００１１】
次に、請求項２記載の発明は、請求項１記載の表示画面焼き付き防止方法であって、前記色反転処理された映像信号に対し、ＲＧＢそれぞれの要素色の劣化特性に合わせた利得を掛け合わせる処理を行った後、前記入力される映像信号を混合させ前記映像表示装置に表示させることを特徴としている。
【００１２】
また、請求項３記載の発明は、映像表示装置の焼き付き防止方法において、入力される水平同期信号を第１のカウンター手段によりカウントするステップと、入力される垂直同期信号を第２のカウンター手段によりカウントするステップと、前記第１のカウンター手段でカウントされた水平同期信号のカウント値と、前記第２のカウンター手段でカウントされた垂直同期信号のカウント値に基づいて、前記映像表示装置における色反転エリアの領域を定義する色反転領域定義ステップと、入力される映像信号の利得を調整する利得調整ステップと、前記利得調整ステップにより利得を調整された映像信号を受け、当該映像信号において、前記色反転領域定義手段により定義された色反転エリアの領域を色反転処理する色反転処理ステップと、前記色反転処理ステップにより色反転処理された映像信号を受け、ＲＧＢそれぞれの要素色の劣化特性に合わせた利得を掛け合わせる処理を行う劣化補償ステップと、前記劣化補償ステップによって処理された映像信号と、前記利得調整ステップにより利得を調整された映像信号を混合させる映像信号混合ステップとを含み、前記色反転領域定義ステップは、前記第１のカウンター手段でカウントされた水平同期信号のカウント値を前記映像表示装置における色反転エリアのライン数のカウントに用いるとともに、前記第２のカウンター手段でカウントされた垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止方法である。
【００１４】
さらに、請求項４記載の発明は、映像表示装置の焼き付き防止回路において、入力される水平同期信号及び垂直同期信号のカウント値に基づいて、前記映像表示装置における色反転エリアの領域を定義する色反転領域定義手段と、入力される映像信号を受け、当該映像信号において、前記色反転領域定義手段により定義された色反転エリアの領域を色反転処理する色反転処理手段と、前記色反転処理手段により色反転処理された映像信号と、前記入力される映像信号を混合させる映像信号混合手段とを備え、前記反転領域定義手段は、前記水平同期信号のカウント値を前記映像表示装置における色反転エリアのライン数のカウントに用いるとともに、前記垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止回路である。
【００１５】
そして、請求項５記載の発明は、映像表示装置の焼き付き防止回路において、入力される水平同期信号及び垂直同期信号のカウント値に基づいて、前記映像表示装置における色反転エリアの領域を定義する色反転領域定義手段と、入力される映像信号を受け、当該映像信号において、前記色反転領域定義手段により定義された色反転エリアの領域を色反転処理する色反転処理手段と、前記色反転処理手段により色反転処理された映像信号を受け、ＲＧＢそれぞれの要素色の劣化特性に合わせた利得を掛け合わせる処理を行う劣化補償手段と、前記劣化補償手段によって処理された映像信号と、前記入力される映像信号を混合させる映像信号混合手段とを備え、前記反転領域定義手段は、前記水平同期信号のカウント値を前記映像表示装置における色反転エリアのライン数のカウントに用いるとともに、前記垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止回路である。
【００１７】
そして、請求項６記載の発明は、映像表示装置の焼き付き防止回路において、入力される水平同期信号をカウントする第１のカウンター手段と、入力される垂直同期信号をカウントする第２のカウンター手段と、前記第１のカウンター手段でカウントされた水平同期信号のカウント値と、前記第２のカウンター手段でカウントされた垂直同期信号のカウント値に基づいて、前記映像表示装置における色反転エリアの領域を定義する色反転領域定義手段と、入力される映像信号の利得を調整する利得調整手段と、前記利得調整手段により利得を調整された映像信号を受け、当該映像信号において、前記色反転領域定義手段により定義された色反転エリアの領域を色反転処理する色反転処理手段と、前記色反転処理手段により色反転処理された映像信号を受け、ＲＧＢそれぞれの要素色の劣化特性に合わせた利得を掛け合わせる処理を行う劣化補償手段と、前記劣化補償手段によって処理された映像信号と、前記利得調整手段により利得を調整された映像信号を混合させる映像信号混合手段とを備え、前記色反転領域定義手段は、前記第１のカウンター手段でカウントされた水平同期信号のカウント値を前記映像表示装置における色反転エリアのライン数のカウントに用いるとともに、前記第２のカウンター手段でカウントされた垂直同期信号のカウント値を前記映像表示装置における色反転エリアの開始位置ラインをシフトさせるタイミングに用いることで、前記映像表示装置における色反転エリアの領域を定義することを特徴とする映像表示装置の焼き付き防止回路である。
【発明の効果】
【００１９】
本発明によれば、表示画面のうち一定の画面領域や時間で色反転処理を行うため、表示内容（映像）の的確な確認が可能であり、なおかつ、同一画面を継続的に表示することによって引き起こされる焼き付き等の障害を回避することができる。また、通常の色反転に加え、ＲＧＢそれぞれの要素色の劣化特性に合わせた割合を掛け合わせるため、特に、有機ＥＬディスプレイを始めとした自発光デバイスにおいて、焼き付き現象を完全に回避することが可能となる。
【図面の簡単な説明】
【００２０】
【図１】本発明に係る映像表示装置の焼き付き防止方法及び防止回路の第１の実施形態を示したフローである。
【図２】本発明に係る映像表示装置の焼き付き防止方法及び防止回路の第１の実施形態を示したブロック図である。
【図３】本発明に係る映像表示装置の焼き付き防止方法及び防止回路の第２の実施形態を示したフローである。
【図４】本発明に係る映像表示装置の焼き付き防止方法及び防止回路の第２の実施形態を示したブロック図である。
【図５】本発明に係る映像表示装置の焼き付き防止方法及び防止回路の第３の実施形態を示したブロック図である。
【図６】本発明に係る映像表示装置の焼き付き防止方法及び防止回路の実施形態により映像表示装置に表示される画像の一例を示した概略図である。
【図７】従来のスクリーンセーバーを利用した表示画面を示したもので、（ａ）は作業画面、（ｂ）は黒表示状態、（ｃ）は黒表示上をマークが移動している状態を表している。
【発明を実施するための形態】
【００２１】
本発明に係る映像表示装置の焼き付き防止方法及び映像表示装置の焼き付き防止回路の第１の実施形態について図面を参照しながら説明する。図１は、本発明に係る映像表示装置の焼き付き防止方法及び防止回路の第１の実施形態を示したフローで、図２は、本発明に係る映像表示装置の焼き付き防止方法及び防止回路の第１の実施形態を示したブロック図で、図６は本発明に係る映像表示装置の焼き付き防止方法及び防止回路の実施形態により映像表示装置に表示される画像の一例を示した概略図である。
【００２２】
なお、符号については、１０は映像表示装置の焼き付き防止回路、１２は水平同期信号入力部、１４は垂直同期信号入力部、２０は色反転エリア定義手段、２２は映像信号入力部、２６は色反転処理手段、３０は映像信号混合手段、３２は色反転エリアを示している。
【００２３】
まず、本実施形態における映像表示装置の焼き付き防止方法及び映像表示装置の焼き付き防止回路は、特に、有機ＥＬディスプレイ特有の現象である「焼き付き」を抑制するためのもので、具体的には、有機ＥＬディスプレイを用いた機器に一定時間、無操作や静止画が続いた際にスクリーンセーバーの機能として、図６に示すような画面を表示させるものである。
【００２４】
つまり、図６に示すように、一定区間の色反転させた帯状の領域を画面上で動かすもので、これにより、有機ＥＬディスプレイにおける各画素の要素色（ＲＧＢ）毎の劣化度を平均化し、焼き付きを生じにくくさせる。ここで、有機ＥＬディスプレイは、画素そのものが光る自発光デバイスであるため、画素の光る強さや時間に応じて、画素毎にバラバラに劣化（輝度低下）していく。特に、静止画が長時間表示されていた場合、特定画素の特定色の劣化が進行することになり、周辺画素との輝度差が生じやすくなる。なお、有機ＥＬディスプレイの「焼き付き」とは、このような画素同士の輝度差が視認できるような状態を示すものである。
【００２５】
続いて、本実施形態における映像表示装置の焼き付き防止方法及び映像表示装置の焼き付き防止回路について説明をしていく。本実施形態における映像表示装置の焼き付き防止回路１０は、図２に示すように、まず、水平同期信号入力部１２から入力される水平同期信号と、垂直同期信号入力部１４から入力される垂直同期信号をカウントし、これらのカウント値に基づいて、映像表示装置における色反転エリアの領域を定義する色反転エリア定義手段２０を備えている。
【００２６】
さらに、映像信号入力部２２から入力された映像信号を受け、当該映像信号において、色反転エリア定義手段２０により定義された色反転エリアの領域を色反転処理する色反転処理手段２６と、色反転処理手段２６により色反転処理された映像信号と、映像信号入力部２２から入力された映像信号を混合させる映像信号混合手段３０とを備えている。なお、本実施形態において、本回路を適用する箇所は、有機ＥＬディスプレイの駆動回路のうち、ディスプレイ側映像出力段に最も近い部分としている。また、映像信号入力部２２から入力された映像信号を色反転処理手段２６が受ける前に、その利得を調整（例えば、１／２程度）しておけば、映像表示装置上の色反転エリア以外の領域を保護することができる。
【００２７】
続いて、図１も参照しながら、本実施形態における映像表示装置の焼き付き防止方法及び映像表示装置の焼き付き防止回路についてより詳細に説明していく。まず、水平同期信号入力部１２から入力される水平同期信号がカウントされたカウント値、及び、垂直同期信号入力部１４から入力される垂直同期信号がカウントされたカウント値は、それぞれ、色反転エリア定義手段２０における色反転エリアの定義に用いられる。
【００２８】
本実施形態においては、水平同期信号のカウント値は、色反転エリア定義手段２０における色反転エリアのライン数のカウントに用いられることになる。つまり、例えば、色反転エリアを２００ラインとする場合、その２００ライン分を数えるために、水平同期信号のカウント値を用いるということになる。
【００２９】
そして、垂直同期信号のカウント値は、色反転エリア定義手段２０における色反転エリアの開始ラインをシフトさせるためのタイミングに用いられる。例えば、カウント値が所定値に到達した場合や、カウント値がリセットした場合に、色反転エリアの開始ラインをインクリメントして色反転エリアの定義をするように制御する。このように定義しておけば、先の例では、色反転エリアである２００ラインが、上から下へとシフトするような動きを繰り返すようになる。なお、デクリメントの制御で、下から上へとシフトさせるようにしても良い。
【００３０】
続いて、映像信号入力部２２から入力された映像信号は、色反転処理手段２６において、色反転エリア定義手段２０によって定義された色反転エリアの領域で色反転処理される。さらに、色反転処理された映像信号と、映像信号入力部２２から入力された映像信号を映像信号混合手段３０が混合し、その混合信号に基づいて、図６に示すように、映像表示装置に映像と、スクリーンセーバー機能を持つ色反転エリア３２を表示させることができるようになる。なお、映像信号入力部２２から入力された映像信号を色反転処理手段２６が受ける前に、その利得を調整（例えば、１／２程度）しておけば、映像表示装置上の色反転エリア以外の領域を保護することができる。
【００３１】
次に、本発明に係る映像表示装置の焼き付き防止方法及び映像表示装置の焼き付き防止回路の第２の実施形態について図面を参照しながら説明する。図３は、本発明に係る映像表示装置の焼き付き防止方法及び防止回路の第２の実施形態を示したフローで、図４は、本発明に係る映像表示装置の焼き付き防止方法及び防止回路の第２の実施形態を示したブロック図である。なお、符号については、２８が劣化補償手段である以外は、図２と同様である。
【００３２】
まず、本実施形態における映像表示装置の焼き付き防止方法及び映像表示装置の焼き付き防止回路に関しても、特に、有機ＥＬディスプレイ特有の現象である「焼き付き」を抑制するためのもので、具体的には、有機ＥＬディスプレイを用いた機器に一定時間、無操作や静止画が続いた際にスクリーンセーバーの機能として、図６に示すような画面を表示させるものである。
【００３３】
つまり、図６に示すように、一定区間の色反転させた帯状の領域を画面上で動かすもので、これにより、有機ＥＬディスプレイにおける各画素の要素色（ＲＧＢ）毎の劣化度を平均化し、焼き付きを生じにくくさせる。ここで、有機ＥＬディスプレイは、画素そのものが光る自発光デバイスであるため、画素の光る強さや時間に応じて、画素毎にバラバラに劣化（輝度低下）していく。特に、静止画が長時間表示されていた場合、特定画素の特定色の劣化が進行することになり、周辺画素との輝度差が生じやすくなる。なお、有機ＥＬディスプレイの「焼き付き」とは、このような画素同士の輝度差が視認できるような状態を示すものである。
【００３４】
続いて、本実施形態における映像表示装置の焼き付き防止方法及び映像表示装置の焼き付き防止回路について説明をしていく。本実施形態における映像表示装置の焼き付き防止回路１０は、図４に示すように、まず、水平同期信号入力部１２から入力される水平同期信号と、垂直同期信号入力部１４から入力される垂直同期信号をカウントし、これらのカウント値に基づいて、映像表示装置における色反転エリアの領域を定義する色反転エリア定義手段２０を備えている。
【００３５】
さらに、映像信号入力部２２から入力された映像信号を受け、当該映像信号において、色反転エリア定義手段２０により定義された色反転エリアの領域を色反転処理する色反転処理手段２６と、色反転処理手段２６により色反転処理された映像信号を受け、ＲＧＢそれぞれの要素色の劣化特性に合わせた利得を掛け合わせる処理を行う劣化補償手段２８と、劣化補償手段２８によって処理された映像信号と、映像信号入力部２２から入力された映像信号を混合させる映像信号混合手段３０とを備えている。なお、劣化補償手段２８による処理を行えば、劣化しやすい色をあまり光らせないようにすることができ、その結果、映像表示装置の保護や長寿命化という効果がより生じることになる。
【００３６】
本実施形態において、本回路を適用する箇所は、有機ＥＬディスプレイの駆動回路のうち、ディスプレイ側映像出力段に最も近い部分としている。また、映像信号入力部２２から入力された映像信号を色反転処理手段２６が受ける前に、その利得を調整（例えば、１／２程度）しておけば、映像表示装置上の色反転エリア以外の領域を保護することができる。
【００３７】
続いて、図３も参照しながら、本実施形態における映像表示装置の焼き付き防止方法及び映像表示装置の焼き付き防止回路についてより詳細に説明していく。まず、水平同期信号入力部１２から入力される水平同期信号がカウントされたカウント値、及び、垂直同期信号入力部１４から入力される垂直同期信号がカウントされたカウント値は、それぞれ、色反転エリア定義手段２０における色反転エリアの定義に用いられる。
【００３８】
本実施形態においては、水平同期信号のカウント値は、色反転エリア定義手段２０における色反転エリアのライン数のカウントに用いられることになる。つまり、例えば、色反転エリアを２００ラインとする場合、その２００ライン分を数えるために、水平同期信号のカウント値を用いるということになる。
【００３９】
そして、垂直同期信号のカウント値は、色反転エリア定義手段２０における色反転エリアの開始ラインをシフトさせるためのタイミングに用いられる。例えば、カウント値が所定値に到達した場合や、カウント値がリセットした場合に、色反転エリアの開始ラインをインクリメントして色反転エリアの定義をするように制御する。このように定義しておけば、先の例では、色反転エリアである２００ラインが、上から下へとシフトするような動きを繰り返すようになる。なお、デクリメントの制御で、下から上へとシフトさせるようにしても良い。
【００４０】
続いて、映像信号入力部２２から入力された映像信号は、色反転処理手段２６において、色反転エリア定義手段２０によって定義された色反転エリアの領域で色反転処理される。そして、色反転処理された映像信号は、劣化補償手段２８が受け、ＲＧＢそれぞれの要素色の劣化特性に合わせた利得を掛け合わせる処理を行う。
【００４１】
さらに、劣化補償手段２８により処理された映像信号と、映像信号入力部２２から入力された映像信号を映像信号混合手段３０が混合し、その混合信号に基づいて、図６に示すように、映像表示装置に映像と、スクリーンセーバー機能を持つ色反転エリア３２を表示させることができるようになる。なお、映像信号入力部２２から入力された映像信号を色反転処理手段２６が受ける前に、その利得を調整（例えば、１／２程度）しておけば、映像表示装置上の色反転エリア以外の領域を保護することができる。
【００４２】
次に、本発明に係る映像表示装置の焼き付き防止方法及び映像表示装置の焼き付き防止回路の第３の実施形態について図面を参照しながら説明する。図５は、本発明に係る映像表示装置の焼き付き防止方法及び防止回路の第３の実施形態を示したブロック図である。なお、符号については、１６が水平同期信号カウンター、１８が垂直同期信号カウンター、２４が利得調整手段である以外は、図４と同様である。
【００４３】
まず、本実施形態における映像表示装置の焼き付き防止方法及び映像表示装置の焼き付き防止回路に関しても、特に、有機ＥＬディスプレイ特有の現象である「焼き付き」を抑制するためのもので、具体的には、有機ＥＬディスプレイを用いた機器に一定時間、無操作や静止画が続いた際にスクリーンセーバーの機能として、図６に示すような画面を表示させるものである。
【００４４】
つまり、図６に示すように、一定区間の色反転させた帯状の領域を画面上で動かすもので、これにより、有機ＥＬディスプレイにおける各画素の要素色（ＲＧＢ）毎の劣化度を平均化し、焼き付きを生じにくくさせる。ここで、有機ＥＬディスプレイは、画素そのものが光る自発光デバイスであるため、画素の光る強さや時間に応じて、画素毎にバラバラに劣化（輝度低下）していく。特に、静止画が長時間表示されていた場合、特定画素の特定色の劣化が進行することになり、周辺画素との輝度差が生じやすくなる。なお、有機ＥＬディスプレイの「焼き付き」とは、このような画素同士の輝度差が視認できるような状態を示すものである。
【００４５】
続いて、本実施形態における映像表示装置の焼き付き防止方法及び映像表示装置の焼き付き防止回路について説明をしていく。本実施形態における映像表示装置の焼き付き防止回路１０は、図５に示すように、まず、水平同期信号入力部１２から入力される水平同期信号をカウントする第１のカウンター手段である水平同期信号カウンター１６と、垂直同期信号入力部１４から入力される垂直同期信号をカウントする第２のカウンター手段である垂直同期信号カウンター１８と、水平同期信号カウンター１６でカウントされた水平同期信号のカウント値と、垂直同期信号カウンター１８でカウントされた垂直同期信号のカウント値に基づいて、表示画面における色反転エリアの領域を定義する色反転エリア定義手段２０を備えている。
【００４６】
さらに、映像信号入力部２２から入力される映像信号の利得を調整する（例えば、１／２程度に）利得調整手段２４と、利得調整手段２４により利得を調整された映像信号を受け、当該映像信号において、色反転エリア定義手段２０により定義された色反転エリアの領域を色反転処理する色反転処理手段２６を備えている。なお、利得調整手段２４により利得を調整させることで、映像表示装置上の色反転エリア以外の領域を保護することができる。
【００４７】
そして、色反転処理手段２６により色反転処理された映像信号を受け、ＲＧＢそれぞれの要素色の劣化特性に合わせた利得を掛け合わせる処理を行う劣化補償手段２８と、劣化補償手段２８によって処理された映像信号と、利得調整手段２４により利得を調整された映像信号を混合させる映像信号混合手段３０とを備えている。なお、本実施形態において、本回路を適用する箇所は、有機ＥＬディスプレイの駆動回路のうち、ディスプレイ側映像出力段に最も近い部分としている。また、上記の通り、劣化補償手段２８による処理を行えば、劣化しやすい色をあまり光らせないようにすることができ、その結果、映像表示装置の保護や長寿命化という効果がより生じることになる。
【００４８】
続いて、本発明に係る映像表示装置の焼き付き防止方法及び映像表示装置の焼き付き防止回路についてより詳細に説明していく。まず、水平同期信号入力部１２から入力される水平同期信号が、水平同期信号カウンター１６によってカウントされたカウント値、及び、垂直同期信号入力部１４から入力される垂直同期信号が、垂直同期信号カウンター１８によってカウントされたカウント値は、それぞれ、色反転エリア定義手段２０における色反転エリアの定義に用いられる。
【００４９】
本実施形態においては、水平同期信号カウンター１６によってカウントされたカウント値は、色反転エリア定義手段２０における色反転エリアのライン数のカウントに用いられることになる。つまり、例えば、色反転エリアを２００ラインとする場合、その２００ライン分を数えるために、水平同期信号カウンター１６によるカウント値を用いるということになる。
【００５０】
そして、垂直同期信号カウンター１８によってカウントされたカウント値は、色反転エリア定義手段２０における色反転エリアの開始ラインをシフトさせるためのタイミングに用いられる。例えば、カウント値が所定値に到達した場合や、カウント値がリセットした場合に、色反転エリアの開始ラインをインクリメントして色反転エリアの定義をするように制御する。このように定義しておけば、先の例では、色反転エリアである２００ラインは、上から下へとシフトするような動きを繰り返すようになる。なお、デクリメントの制御で、下から上へとシフトさせるようにしても良い。
【００５１】
続いて、映像信号入力部２２から入力される映像信号は、利得調整手段２４により利得を調整される。そして、利得を調整された映像信号は、色反転処理手段２６において、色反転エリア定義手段２０によって定義された色反転エリアの領域で色反転処理される。さらに、色反転処理された映像信号は、劣化補償手段２８において、ＲＧＢそれぞれの要素色の劣化特性に合わせた利得が掛け合わされる処理が行われる。
【００５２】
次に、劣化補償手段２８によって処理された映像信号と、利得調整手段２４により利得を調整された映像信号を映像信号混合手段３０が混合し、その混合信号に基づいて、図６に示すように、表示画面に映像と、スクリーンセーバー機能を持つ色反転エリア３２を表示させることになる。
【産業上の利用可能性】
【００５３】
本発明に係る映像表示装置の焼き付き防止回路及び表示画面焼き付き防止方法によれば、有機ＥＬディスプレイを始めとした自発光デバイスにおいて引き起こされる、焼き付き現象を回避するために好適に用いることができる。
【符号の説明】
【００５４】
１０  映像表示装置の焼き付き防止回路
１２  水平同期信号入力部
１４  垂直同期信号入力部
１６  水平同期信号カウンター
１８  垂直同期信号カウンター
２０  色反転エリア定義手段
２２  映像信号入力部
２４  利得調整手段
２６  色反転処理手段
２８  劣化補償手段
３０  映像信号混合手段
３２  色反転エリア
【図１】
0006668046.tif 000002
【図２】
0006668046.tif 000003
【図３】
0006668046.tif 000004
【図４】
0006668046.tif 000005
【図５】
0006668046.tif 000006
【図６】
0006668046.tif 000007
【図７】
0006668046.tif 000008